【手続補正書】
【提出日】平成27年5月12日(2015.5.12)
【手続補正１】
【補正対象書類名】明細書
【補正対象項目名】０００６
【補正方法】変更
【補正の内容】
【０００６】
上述した課題を解決するために本発明の画像表示装置は、
複数種の撮影パラメータの種類毎にそのパラメータ値を変更しながら同一の被写体を複数回撮影した一連の画像を取得する取得手段と、
前記取得手段によって取得された前記同一の被写体を撮影した一連の画像の一を表示する表示手段と、
前記複数種の撮影パラメータの種類毎にそのパラメータ値を変更するパラメータ別ユーザ操作に用いられる変更操作手段と、
前記変更操作手段を用いたパラメータ別ユーザ操作が行われた際に、前記表示手段に表示中の画像を撮影したときの複数種の撮影パラメータのうちその操作に対応した種類の撮影パラメータのパラメータ値を変更して得たパラメータ値で撮影した画像を前記取得手段により取得された一連の画像の中から特定する特定手段と、
前記表示手段に表示されている表示中の画像を、前記特定手段によって特定された画像に切替えて表示する切替手段と、
を備えたことを特徴とする画像表示装置である。
【手続補正２】
【補正対象書類名】明細書
【補正対象項目名】０００７
【補正方法】変更
【補正の内容】
【０００７】
上述した課題を解決するために本発明の画像表示方法は、
複数種の撮影パラメータの種類毎にそのパラメータ値を変更しながら同一の被写体を複数回撮影した一連の画像を取得する処理と、
前記取得された前記同一の被写体を撮影した一連の画像の一を表示する処理と、
前記複数種の撮影パラメータの種類毎にそのパラメータ値を変更するパラメータ別ユーザ操作に用いられる変更操作手段を用いたパラメータ別ユーザ操作が行われた際に、前記表示中の画像を撮影したときの複数種の撮影パラメータのうち、その操作に対応した種類の撮影パラメータのパラメータ値を変更して得たパラメータ値で撮影した画像を前記取得された一連の画像の中から特定する処理と、
前記表示されている表示中の画像を、前記特定された画像に切替えて表示する処理と、
を含むことを特徴とする画像表示方法である。
【手続補正３】
【補正対象書類名】明細書
【補正対象項目名】０００８
【補正方法】変更
【補正の内容】
【０００８】
上述した課題を解決するために本発明のプログラムは、
コンピュータに対して、
複数種の撮影パラメータの種類毎にそのパラメータ値を変更しながら同一の被写体を複数回撮影した一連の画像を取得する取得機能と、
前記取得機能によって取得された前記同一の被写体を撮影した一連の画像の一を表示する表示機能と、
前記複数種の撮影パラメータの種類毎にそのパラメータ値を変更するパラメータ別ユーザ操作に用いられる変更操作手段を用いたパラメータ別ユーザ操作が行われた際に、前記表示機能により表示中の画像を撮影したときの複数種の撮影パラメータのうち、その操作に対応した種類の撮影パラメータのパラメータ値を変更して得たパラメータ値で撮影した画像を前記取得機能により取得された一連の画像の中から特定する特定機能と、
前記表示機能により表示されている表示中の画像を、前記特定機能により特定された画像に切替えて表示する切替機能と、
を実現させるためのプログラム。
【手続補正４】
【補正対象書類名】明細書
【補正対象項目名】００１０
【補正方法】変更
【補正の内容】
【００１０】
【図１】複数のデータを個別に表示する画像表示装置として適用したデジタルカメラの基本的な構成要素を示したブロック図。
【図２】ブラケット撮影機能用の撮影パラメータに関する変化条件（撮影パラメータ、基準値、振り幅、撮影枚数）を選択するための選択画面を示した図。
【図３】ブラケット撮影によって得られた複数の画像（一連の画像）を示した図。
【図４】（１）、（２）は、ブラケット撮影された一連の画像を２種類の撮影パラメータに応じて仮想的に二次元配列した場合の配列状態を示した図。
【図５】（１）、（２）は、撮影画像の再生モードにおいて、所望する画像を選択して個別表示させる場合の送り操作を説明するための図。
【図６】ブラケット撮影された一連の画像のうち表示中の画像を中心として、その上下左右の方向に画像送りを行った場合の表示状態を示した図。
【図７】シーン別ブラケットＡテーブル３ｄを説明するための図。
【図８】シーン別ブラケットＢテーブル３ｅを説明するための図。
【図９】電源投入に応じて実行開始される画像表示装置（デジタルカメラ）の動作（本実施形態の特徴的な動作）を説明するためのフローチャート。
【図１０】図９の動作に続くフローチャート。
【図１１】図１０の動作に続くフローチャート。
【図１２】図１１の動作に続くフローチャート。
【図１３】ブラケット撮影に先だってシーンを選択するための選択画面（メニュー画面）を例示した図。
【図１４】ブラケット撮影された一連の画像を一覧表示するサムネイル一覧画面を例示した図。
【図１５】（１）、（２）は、実施形態の変形例として、送り枚数を方向別に数値表示する場合を例示した図。
【図１６】（１）、（２）は、実施形態の変形例において、パラメータ名の指標表示に、他の情報を組合せた場合の変形例を説明するための図。
【図１７】（１）、（２）は、実施形態の変形例を示し、パラメータが４種類の場合を例示した図。
【手続補正５】
【補正対象書類名】明細書
【補正対象項目名】００１１
【補正方法】変更
【補正の内容】
【００１１】
以下、図１〜図１４を参照して本発明の実施形態を説明する。
本実施形態は、複数のデータを個別に表示する画像表示装置としてデジタルカメラ（撮像装置）に適用した場合を示し、図１は、このデジタルカメラの基本的な構成要素を示したブロック図である。
デジタルカメラは、静止画像のほかに動画像の撮影も可能なデジタルコンパクトカメラであり、撮像機能、計時機能などの基本的な機能のほかに、撮像機能の一つとして、ブラケット撮影機能を備えている。このブラケット撮影機能は、１回のシャッタ操作で、撮影パラメータに対応してそのパラメータの種類毎にそのパラメータ値を変更しながら同一の被写体を複数回連続して撮影することによって複数の画像（一連の画像）を得るようにした機能である。
【手続補正６】
【補正対象書類名】明細書
【補正対象項目名】００４１
【補正方法】変更
【補正の内容】
【００４１】
「パラメータの振り幅（可変）」は、撮影パラメータの基準値を基準にその前後を変更する変更幅（振り幅）を記憶する項目で、複数の候補値の中からユーザ操作で任意に指定された値が振り幅となる。例えば、「シーン」が“花びらをピント位置に注意して撮影（可変）”で、「パラメータ」が“フォーカス”の場合には、その「パラメータの振り幅（可変）」の複数の候補値“±５ｃｍ／±２０ｃｍ／±５０ｃｍ”の中からユーザ操作により任意の振り幅（例えば、±２０ｃｍ）を指定値として選択可能としている。
【手続補正７】
【補正対象書類名】明細書
【補正対象項目名】００４４
【補正方法】変更
【補正の内容】
【００４４】
次に、本実施形態における画像表示装置（デジタルカメラ）の動作概念を図９〜図１２に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【手続補正８】
【補正対象書類名】明細書
【補正対象項目名】００４５
【補正方法】変更
【補正の内容】
【００４５】
図９〜図１２は、電源投入に応じて実行開始される画像表示装置（デジタルカメラ）の動作（本実施形態の特徴的な動作）を説明するためのフローチャートである。
先ず、制御部１は、電源投入操作に応じてメモリなどをクリアする初期化処理（図９のステップＳ１）を実行した後、ブラケット撮影の設定モードであるかを調べたり（ステップＳ２）、静止画撮影モードであるかを調べたり（図１０のステップＳ１５）、静止画再生モードであるかを調べたりする（図１１のステップＳ２８）。ここで、動画撮影モードなど、その他の動作モードであれば（図１１のステップＳ２８でＮＯ）、その他のモードに応じた処理、例えば、ブラケット撮影を除く他の撮影時の撮影条件を設定する処理、動画を撮影する処理などを行い（ステップＳ２９）、図９のステップＳ２に移行する。
【手続補正９】
【補正対象書類名】明細書
【補正対象項目名】００８０
【補正方法】変更
【補正の内容】
【００８０】
図１７（２）は、４種類の撮影パラメータで、送り方向が８方向の場合を例示した図である。すなわち、４種類の撮影パラメータを上下、左右、左斜め上及び右斜め下、右斜め上及び左斜め下の各方向に対応付けて送り方向を示すマークを含む撮影パラメータ名を表示する場合を例示した図である。この場合、表示中の画像においてその左右方向のパラメータは“露出＋”、“露出−”、右斜め上及び左斜め下方向のパラメータは“ホワイトバランス（ＷＢ＋）”、“（ＷＢ−）”、上下方向のパラメータは“彩度＋”、“彩度−”、左斜め上及び右斜め下方向のパラメータは“フォーカス＋”、“フォーカス−”とした場合である。
【手続補正１０】
【補正対象書類名】特許請求の範囲
【補正対象項目名】全文
【補正方法】変更
【補正の内容】
【特許請求の範囲】
【請求項１】
複数種の撮影パラメータの種類毎にそのパラメータ値を変更しながら同一の被写体を複数回撮影した一連の画像を取得する取得手段と、
前記取得手段によって取得された前記同一の被写体を撮影した一連の画像の一を表示する表示手段と、
前記複数種の撮影パラメータの種類毎にそのパラメータ値を変更するパラメータ別ユーザ操作に用いられる変更操作手段と、
前記変更操作手段を用いたパラメータ別ユーザ操作が行われた際に、前記表示手段に表示中の画像を撮影したときの複数種の撮影パラメータのうちその操作に対応した種類の撮影パラメータのパラメータ値を変更して得たパラメータ値で撮影した画像を前記取得手段により取得された一連の画像の中から特定する特定手段と、
前記表示手段に表示されている表示中の画像を、前記特定手段によって特定された画像に切替えて表示する切替手段と、
を備えたことを特徴とする画像表示装置。
【請求項２】
前記取得手段は、複数種の撮影パラメータを変更しながら複数回の撮影動作を連続して行うブラケッテング撮影によって得られた複数の撮影画像を前記一連の画像として取得する、
ことを特徴とする請求項１に記載の画像表示装置。
【請求項３】
前記撮影パラメータの種類と前記パラメータ別ユーザ操作との対応関係を任意に設定するのに用いられる設定手段を更に備える、
ことを特徴とする請求項１又は請求項２に記載の画像表示装置。
【請求項４】
撮影時にその撮影パラメータ値を変更して撮影条件として設定する撮影パラメータ設定用の操作子を有する撮像手段を更に備え、
前記特定手段は、前記撮影パラメータ設定用の操作子が前記変更操作手段として兼用された際に、その操作子に対応付けられている撮影パラメータであり、かつ、その操作子を用いたユーザ操作により変更されたパラメータ値で撮影された画像を表示対象として特定する、
ことを特徴とする請求項１又は請求項２に記載の画像表示装置。
【請求項５】
前記特定手段は、前記変更操作手段によるユーザのパラメータ値の変更操作に対応する撮影パラメータ以外の、他の撮影パラメータや被写体を変化させないように表示対象となる画像を特定する、
ことを特徴とする請求項１〜請求項４のいずれかに記載の画像表示装置。
【請求項６】
前記一連の画像が前記複数種の撮影パラメータに応じて仮想的な複数次元に配列する配列手段と、
前記一連の画像のうち前記表示手段に表示されている表示中の画像の、前記配列手段により配列された配列位置を起点とし、その起点から画像送りが可能であることを明示するための指標を識別表示する指標表示手段を更に備える、
ことを特徴とする請求項１〜請求項５のいずれかに記載の画像表示装置。
【請求項７】
前記指標表示手段は、前記表示中の画像を起点として画像送りが可能な方向を指標として識別表示する、
ことを特徴とする請求項６に記載の画像表示装置。
【請求項８】
前記指標表示手段は、前記表示中の画像を起点として画像送りが可能な画像数を指標として識別表示する、
ことを特徴とする請求項６又は請求項７に記載の画像表示装置。
【請求項９】
前記一連の画像は、複数種の撮影パラメータを変更しながら複数回の撮影動作を連続して行うブラケット撮影によって得られた複数枚の撮影画像であり、
前記ブラケット撮影された一連の撮影画像と、１枚撮影された画像とが混在して記憶されている状態において、前記１枚撮影の画像を送るユーザ操作と同様の１回のユーザ操作で、前記ブラケット撮影された一連の撮影画像を単位としてグループ送りするのに用いられる操作手段を更に備える、
ことを特徴とする請求項１〜請求項８のいずれかに記載の画像表示装置。
【請求項１０】
複数種の撮影パラメータの種類毎にそのパラメータ値を変更しながら同一の被写体を複数回撮影した一連の画像を取得する処理と、
前記取得された前記同一の被写体を撮影した一連の画像の一を表示する処理と、
前記複数種の撮影パラメータの種類毎にそのパラメータ値を変更するパラメータ別ユーザ操作に用いられる変更操作手段を用いたパラメータ別ユーザ操作が行われた際に、前記表示中の画像を撮影したときの複数種の撮影パラメータのうち、その操作に対応した種類の撮影パラメータのパラメータ値を変更して得たパラメータ値で撮影した画像を前記取得された一連の画像の中から特定する処理と、
前記表示されている表示中の画像を、前記特定された画像に切替えて表示する処理と、
を含むことを特徴とする画像表示方法。
【請求項１１】
コンピュータに対して、
複数種の撮影パラメータの種類毎にそのパラメータ値を変更しながら同一の被写体を複数回撮影した一連の画像を取得する取得機能と、
前記取得機能によって取得された前記同一の被写体を撮影した一連の画像の一を表示する表示機能と、
前記複数種の撮影パラメータの種類毎にそのパラメータ値を変更するパラメータ別ユーザ操作に用いられる変更操作手段を用いたパラメータ別ユーザ操作が行われた際に、前記表示機能により表示中の画像を撮影したときの複数種の撮影パラメータのうち、その操作に対応した種類の撮影パラメータのパラメータ値を変更して得たパラメータ値で撮影した画像を前記取得機能により取得された一連の画像の中から特定する特定機能と、
前記表示機能により表示されている表示中の画像を、前記特定機能により特定された画像に切替えて表示する切替機能と、
を実現させるためのプログラム。